(57)【特許請求の範囲】
【請求項１】
装置周囲の照度を検出するために設置された照度検知手段による検知結果に基づいて商用電源を切って消費電力を低減化する機能を備えると共に、省エネ状態のモードを有する画像形成装置において、
前記照度検知手段による前記検知結果を示す検知照度が所定の閾値を下回ったとき、装置状態を検出した結果に基づいて、当該装置状態が通常状態及び不揮発性記憶手段への書込みが行われる省エネ状態では、前記商用電源を遮断する前に内部デバイスに含まれる当該不揮発性記憶手段への書込みを禁止してから当該商用電源を遮断し、当該不揮発性記憶手段への書込みが行われない省エネ状態では、当該商用電源を直ちに遮断する商用電源遮断制御機能を持つことを特徴とする画像形成装置。
【請求項２】
請求項１記載の画像形成装置において、前記照度検知手段により検知した前記検知照度と予め設定された基準照度とを比較して当該検知照度が当該基準照度を以上であるか否かを判断する照度判断手段と、装置状態が前記通常状態、前記省エネ状態における何れにあるかを判断する状態判断手段と、前記不揮発性記憶手段への書込みを禁止する書込み禁止手段と、前記照度判断手段により前記検知照度が前記基準照度未満であると判断されたときに前記状態判断手段により判断された装置状態に応じて前記通常状態及び前記不揮発性記憶手段への書込みが行われる省エネ状態であれば前記書込み禁止手段により前記不揮発性記憶手段への書込みを禁止してから前記商用電源を遮断する制御、前記不揮発性記憶手段への書込みが行われない省エネ状態にあれば当該商用電源を直ちに遮断する制御を選択的に実行する商用電源制御手段と、を備えたことを特徴とする画像形成装置。
【請求項３】
請求項２記載の画像形成装置において、前記商用電源制御手段により前記商用電源が遮断された状態で前記照度検知手段、前記照度判断手段、及び前記商用電源制御手段に対して電力供給する商用電源遮断時電力供給手段を備え、
前記商用電源制御手段は、前記商用電源が遮断された状態で前記照度判断手段により前記検知照度が前記基準照度以上と判断されたときに装置に対する当該商用電源の供給を開始することを特徴とする画像形成装置。
【請求項４】
請求項２又は３記載の画像形成装置において、前記省エネ状態から前記通常状態に復帰する復帰要因を検出する復帰要因検出手段を備え、
前記商用電源制御手段は、前記照度判断手段により前記検知照度が前記基準照度未満であると判断されたときに前記復帰要因検出手段により前記復帰要因が検出されていれば前記書込み禁止手段による前記不揮発性記憶手段への書込みの禁止、並びに前記商用電源の遮断を解除する制御を行うことを特徴とする画像形成装置。
【請求項５】
請求項２〜４の何れか１項記載の画像形成装置において、前記照度判断手段における前記基準照度を任意の値に適宜変更するための基準照度変更手段を備えたことを特徴とする画像形成装置。
【請求項６】
請求項２〜５の何れか１項記載の画像形成装置において、前記照度判断手段は、前記検知照度が前記基準照度に対して予め設定された基準時間継続したときに判断処理を行うことを特徴とする画像形成装置。
【請求項７】
請求項６記載の画像形成装置において、前記基準時間を任意の値に適宜変更するための基準時間変更手段を備えたことを特徴とする画像形成装置。
【請求項８】
画像形成装置に設置された装置周囲の照度を検出するための照度検知手段による検知結果に基づいて当該画像形成装置に対する商用電源を切って消費電力を低減化する際、当該照度検知手段による当該検知結果を示す当該照度が所定の閾値を下回ったとき、装置状態を検出した結果に基づいて、当該装置状態が通常状態及び不揮発性記憶手段への書込みが行われる省エネ状態では、前記商用電源を遮断する前に内部デバイスに含まれる当該不揮発性記憶手段への書込みを禁止してから当該商用電源を遮断し、当該不揮発性記憶手段への書込みが行われない省エネ状態では、当該商用電源を直ちに遮断することを特徴とする画像形成装置における商用電源遮断方法。
【請求項９】
画像形成装置が備える情報処理手段により実行されると共に、当該画像形成装置に設置された装置周囲の照度を検出するための照度検知手段による検知結果に基づいて当該画像形成装置に対する商用電源を切って消費電力を低減化する際に適用される画像形成装置用商用電源遮断プログラムであって、当該照度検知手段による当該検知結果を示す当該照度が所定の閾値を下回ったとき、装置状態を検出した結果に基づいて、当該装置状態が通常状態及び不揮発性記憶手段への書込みが行われる省エネ状態では、前記商用電源を遮断する前に内部デバイスに含まれる当該不揮発性記憶手段への書込みを禁止してから当該商用電源を遮断し、当該不揮発性記憶手段への書込みが行われない省エネ状態では、当該商用電源を直ちに遮断するステップの情報を有することを特徴とする画像形成装置用商用電源遮断プログラム。
【発明の詳細な説明】
【技術分野】
【０００１】
本発明は、照度センサの検知結果に基づいて交流（ＡＣ）の商用電源を切って消費電力を低減化する機能を備えた画像形成装置に係り、詳しくは装置における通常状態や省エネ状態の様々な機能処理状態に応じて内部デバイスへ支障なく商用電源遮断を実行できる画像形成装置、画像形成装置における商用電源遮断方法、画像形成装置用商用電源遮断プログラムに関する。
【背景技術】
【０００２】
従来、画像形成装置（ＭＦＰ）では、例えば使用環境のオフィスの明かりを照度センサによって検知し、照度センサの検知照度が所定の閾値を下回った場合（暗いと判断された場合）に使用者がいないと判断し、商用電源を切って消費電力を低減化する技術が導入されている。
【０００３】
このようなセンサを用いて商用電源を遮断し、消費電力を低減化することに関連する周知技術としては、例えば人体検知手段による検知結果や光量検出手段による検出結果に応じて電力供給の遮断、供給を行う「画像形成装置の電源装置」（特許文献１参照）や、光センサによる検出照度に基づいて電源を管理し、その設置環境に拘わらず利用者の設定に応じて適切に起動できる「画像形成装置」（特許文献２参照）等が挙げられる。
【０００４】
具体的に云えば、特許文献１記載の技術は、より使い勝手の良い節電モードを備える画像形成装置の電源装置を提供することを目的としており、人体検知手段や光量検出手段によって人体を検知しないときや光量が所定の閾値を下回ったとき（暗いと判断されたとき）には画像形成装置への電力供給を遮断し、人体を検知したときや光量が所定の閾値を上回ったとき（明るいと判断されたとき）には画像形成装置への電力供給を行う機能を持つものである。
【０００５】
また、特許文献２記載の技術は、設置環境に拘わらず利用者の設定に応じて適切に画像形成装置を起動することを目的としており、光センサによる検出照度に基づいて省電力制御／電源遮断を実行するもので、具体的には照度の継続時間を設定することによりノイズ、人、原稿書類の影による誤検知防止や基準照度を設定できるようにし、これによって設置環境に応じた最適な値を設定できる機能を構築している。
【発明の概要】
【発明が解決しようとする課題】
【０００６】
上述した特許文献１記載の技術は、人体検知手段による検知結果や光量検出手段による検出結果に応じて電力供給の遮断、供給を行うものであるため、商用電源を遮断するタイミングを近年のエコ（環境対応）を考慮して多機能化された画像形成装置における様々な機能処理状態に対応するように適正に行わせることができず、結果として、商用電源を切るときの装置状態における対応性に乏しく、しかも内部デバイスのデータ破壊等に対する対策も考慮されていないために安全性についても保証され難いという問題がある。
【０００７】
また、特許文献２記載の技術においても、光センサによる検出照度に基づいて省電力制御／電源遮断を実行するもので、照度の継続時間を適切に設定したとしても、特許文献１の技術の場合と同様に、商用電源を遮断するタイミングを近年の多機能化された画像形成装置における様々な機能処理状態に対応するように適正に行わせることができず、結果として、商用電源を切るときの装置状態における対応性に乏しく、しかも内部デバイスのデータ破壊等に対する対策も考慮されていないために安全性についても保証され難いという問題がある。
【０００８】
要するに、特許文献１や特許文献２の手法によれば、例えば画像形成装置における様々な機能処理状態に対応した適正な商用電源遮断の態様、具体的には通常時に不揮発性メモリの書込み中の電源断を禁止してから商用電源を切るべき態様、ＣＰＵが動作可能な省エネ状態で不揮発性メモリへの書込みがある場合には書込み中の電源断を禁止してから商用電源を切るべき態様、不揮発性メモリへの書込みがない場合にはすぐに商用電源を切るべき態様、ＳＴＲ（コンピュータを休眠状態にして消費電力を抑えるサスペンド形態の１つで、サスペンド時の消費電力と復帰に要する所要時間とのバランスが最も良いサスペンドモード）状態等のＣＰＵへの電源供給を停止した状態では不揮発性メモリへの書込みがないために直ちに商用電源を切るべき態様等の対応を考慮しておらず、しかも商用電源遮断時おける不揮発性メモリ等の内部デバイスが保有するデータ破壊等の不具合発生の危険性を十分対策していないため、結果として、照度センサの検知結果に基づいて商用電源を切るときの装置状態における対応性に乏しいと共に、安全性も保証され難くなっているという問題がある。
【０００９】
本発明は、このような問題点を解決すべくなされたもので、その技術的課題は、照度検知手段（照度センサ）の検知結果に基づいて商用電源を切る場合に無駄な処理を行わず、装置状態に応じて内部デバイスに対して支障なく安全性高く商用電源遮断を実行できる対応性に富んだ画像形成装置、画像形成装置における商用電源遮断方法、画像形成装置用商用電源遮断プログラムを提供することにある。
【課題を解決するための手段】
【００１０】
上記技術的課題を解決するため、本発明の基本構成は、装置周囲の照度を検出するために設置された照度検知手段による検知結果に基づいて商用電源を切って消費電力を低減化する機能を備えると共に、省エネ状態のモードを有する画像形成装置において、照度検知手段による検知結果を示す検知照度が所定の閾値を下回ったとき、装置状態を検出した結果に基づいて、当該装置状態が通常状態及び不揮発性記憶手段への書込みが行われる省エネ状態では、商用電源を遮断する前に内部デバイスに含まれる当該不揮発性記憶手段への書込みを禁止してから当該商用電源を遮断し、当該不揮発性記憶手段への書込みが行われない省エネ状態では、当該商用電源を直ちに遮断する商用電源遮断制御機能を持つことを特徴とする。
【００１１】
上記画像形成装置の細部構成は、照度検知手段により検知した検知照度と予め設定された基準照度とを比較して当該検知照度が当該基準照度以上であるか否かを判断する照度判断手段と、装置状態が通常状態、省エネ状態における何れにあるかを判断する状態判断手段と、不揮発性記憶手段への書込みを禁止する書込み禁止手段と、照度判断手段により検知照度が基準照度未満であると判断されたときに状態判断手段により判断された装置状態に応じて通常状態であれば書込み禁止手段により不揮発性記憶手段への書込みを禁止してから商用電源を遮断する制御、省エネ状態にあれば当該商用電源を直ちに遮断する制御を選択的に実行する商用電源制御手段と、を備えたことを特徴とする。
【００１２】
上記画像形成装置では、商用電源制御手段により商用電源が遮断された状態で照度検知手段、照度判断手段、及び商用電源制御手段に対して電力供給する商用電源遮断時電力供給手段を備え、商用電源制御手段は、商用電源が遮断された状態で照度判断手段により検知照度が基準照度以上と判断されたときに装置に対する当該商用電源の供給を開始することが好ましい。
【００１３】
また、上記何れかの画像形成装置では、省エネ状態から通常状態に復帰する復帰要因を検出する復帰要因検出手段を備え、商用電源制御手段は、照度判断手段により検知照度が基準照度未満であると判断されたときに復帰要因検出手段により復帰要因が検出されていれば書込み禁止手段による不揮発性記憶手段への書込みの禁止、並びに商用電源の遮断を解除する制御を行うことが好ましい。
【００１４】
更に、上記何れか１つの画像形成装置では、照度判断手段における基準照度を任意の値に適宜変更するための基準照度変更手段を備えたことが好ましい。
【００１５】
加えて、上記何れか１つの画像形成装置において、照度判断手段は、検知照度が基準照度に対して予め設定された基準時間継続したときに判断処理を行うことが好ましい。更に、ここでの基準時間を任意の値に適宜変更するための基準時間変更手段を備えたことが好ましい。
【発明の効果】
【００１６】
本発明によれば、照度検知手段（照度センサ）による検知結果の検知照度が所定の閾値を下回ったとき、装置状態を検出した結果に基づいて、装置状態が通常状態及び不揮発性記憶手段（不揮発性メモリ）への書込みが行われる省エネ状態では商用電源を遮断する前に不揮発性記憶手段への書込みを禁止してから商用電源を遮断し、不揮発性記憶手段への書込みが行われない省エネ状態では商用電源を直ちに遮断するので、照度センサの検知結果に基づいて商用電源を切る場合に無駄な処理を行わず、装置における様々な機能処理状態に応じて内部デバイスに対して支障なく安全性高く実行できる対応性に富んだ画像形成装置を提供することができる。
【図面の簡単な説明】
【００１７】
【図１】本発明の実施例１に係る画像形成装置の全体的構成（ハードウェア構成）を示すブロック図である。
【図２】図１に示す画像形成装置の各部の処理機能で構築される商用電源遮断制御機能部の概略構成を示すブロック図である。
【図３】図２に示す商用電源遮断制御機能部の動作処理を示すフローチャートである。
【図４】図１に示す画像形成装置の商用電源遮断制御に係る照度センサの照度検知値と装置電力値との信号波形を示すタイミングチャートである。
【図５】図１に示す画像形成装置に備えられる操作部の商用電源遮断制御に係る基準照度、基準時間の設定について説明するために例示した表示画面である。
【発明を実施するための形態】
【００１８】
以下に、本発明の画像形成装置、画像形成装置における商用電源遮断方法、画像形成装置用商用電源遮断プログラムについて、図面を参照して詳細に説明する。
【００１９】
最初に、本発明の画像形成装置（ＭＦＰ）の技術的概要を簡単に説明する。この画像形成装置は、装置周囲の照度を検出するために設置された照度検知手段（照度センサ）による検知結果に基づいて商用電源を切って消費電力を低減化する機能を備えると共に、省エネ状態のモードを有するものにおいて、照度検知手段による検知結果を示す検知照度が所定の閾値を下回ったとき、装置状態を検出した結果に基づいて、装置状態が通常状態及び不揮発性記憶手段（不揮発性メモリ）への書き込みが行われる省エネ状態では、商用電源を遮断する前に内部デバイスに含まれる不揮発性記憶手段への書込みを禁止してから商用電源を遮断し、不揮発性記憶手段への書込みが行われない省エネ状態では、当該商用電源を直ちに遮断する商用電源遮断制御機能を持つものである。因みに、ここでの装置状態についての通常状態とは、動作状態、待機状態を示すものであり、不揮発性記憶手段への書込みが行われる省エネ状態とは、予熱／低電力状態、及び静音状態を示すものであり、不揮発性記憶手段への書込みが行われない省エネ状態とは、エンジンオフ状態、ＳＴＲ状態、及びシャットダウン状態を示すもの（後文で詳述する）である。
【００２０】
即ち、この商用電源遮断制御機能は、照度検知手段によって周囲の照明光が暗いこと(受光量が一定以下であること)を検知し、暗いと判断された場合は装置がＣＰＵの電源供給を停止する省エネ状態であるか否かを判断し、装置がＣＰＵの電源供給を停止する省エネ状態であれば商用電源を直ちに切り、装置がＣＰＵの電源供給を停止する省エネ状態でなければソフト動作停止等の商用電源を遮断する準備（このとき内部デバイスに含まれる不揮発性記憶手段への書込みを禁止する）を行ってから商用電源を切るものである。
【００２１】
以下は、係る商用電源遮断制御機能を実施するための画像形成装置の具体的な細部構成を説明する。
【実施例１】
【００２２】
図１は、本発明の実施例１に係る画像形成装置の全体的構成（ハードウェア構成）を示すブロック図である。
【００２３】
この画像形成装置は、大まかな基本構成として、ＣＰＵ１を含むコントローラ９と、照度センサ１５を含む操作部２３と、交流（ＡＣ）の商用電源から電源供給される電源回路２１と、を備えて構成される。
【００２４】
このうち、コントローラ９は、ＣＰＵ１にシステムバスを介してＲＡＭ２、ＲＯＭ３、ＨＤＤ４、操作部Ｉ／Ｆ５、タイマ６、省エネ制御部７、及び商用電源制御部８が接続されて構成されている。
【００２５】
ＣＰＵ１が他の各部を統括して制御する。このとき、ＣＰＵ１はＲＯＭ３に格納されたプログラムをＲＡＭ２に展開し、このＲＡＭ２をワークエリアとして使用しながらプログラムに基づいた制御を実行する。
【００２６】
ＨＤＤ４はスキャナで読み取られた画像情報の蓄積やジャムリカバリー等の画像情報の一次保存、或いはログ、プログラム等の情報を蓄積するために使用される。
【００２７】
操作部Ｉ／Ｆ５は後述する操作部２３とのデータの送受信を行う。タイマ６は、ＣＰＵ１が各部を制御する際に利用するタイマ機能を有すもので、例えば各部を同期させるためのタイミングをカウントする際に利用したり、或いは日時を記憶する際の時間基準として利用する場合を例示できる。
【００２８】
省エネ制御部７は、省エネ移行／復帰制御を行う。省エネ移行時は、省エネ移行スイッチの押下、タイマ設定等の省エネ移行要因を起因として装置の定着部に対して電力供給を制限／停止するようエンジンに通知したり、或いは省エネ時に一部の回路に対して電源供給を遮断するために後述する電源回路２１の電源起動回路２０に電源出力を停止する命令を行ったり、或いはＣＰＵ１に対して電源供給を停止する命令を行う。省エネ復帰時は、プリントジョブ、圧版開閉、原稿設置、ウィークリータイマ、省エネ復帰スイッチ押下等の省エネ復帰要因を起因として装置の定着部に対して電力供給を再開するようエンジンに通知したり、或いは後述する電源回路２１の電源起動回路２０に電源出力を開始する命令を行ったり、或いはＣＰＵ１に対して電源供給を開始する命令を行う。
【００２９】
商用電源遮断部８の詳細は後述するが、処理機能を簡単に説明すれば、操作部２３の照度判断回路１６からの出力ａと装置の状態を判断した結果とに基づいて商用電源が供給される電源回路２１のＡＣ回路１８に接続されたリレー２２をオン・オフ制御するための出力ｂを生成する。
【００３０】
コントローラ９は、こうした機能の他、装置のエンジン部との間で画像情報を授受する機能を持つ。因みに、エンジン部は電子写真方式、インクジェットに代表される液滴吐出方式等の公知のプリンタエンジンが使用されるが、それぞれの方式については周知な手法で画像形成（印字）が行われるため、ここではそれに関連する技術については省略する。
【００３１】
その他、コントローラ９においては、ＣＰＵ１、ＲＡＭ２、ＲＯＭ３、タイマ６、省エネ制御７、及び商用電源制御部８には電源電圧５ＶＥ、ＨＤＤ４の一部及び操作部Ｉ／Ｆ５には５Ｖの電圧、ＨＤＤ４の他部には１２Ｖの電圧が電源供給される。但し、商用電源制御部８には商用電源の遮断時にバッテリから電力供給される。バッテリについては商用電源の供給時に充電できる２次電池を用いる場合を例示できる。
【００３２】
操作部２３は、コントローラ９の操作部Ｉ／Ｆ５に接続された操作部コントローラ１０に対してＬＣＤＣ１１、入力部１２、ＲＯＭ１３、ＲＡＭ１４、タイマ１７が接続され、照度センサ１５に接続された照度判断回路１６がＲＯＭ１３及びタイマ１７に接続されて構成されている。
【００３３】
このうち、操作部コントローラ１０は、ＲＯＭ１３に格納されたプログラムをＲＡＭ１４に展開し、このＲＡＭ２をワークエリアとして使用しながらプログラムに基づいた制御を実行する。また、操作部コントローラ１０は、コントローラ９からの命令を操作部Ｉ／Ｆ５を介して受信し、表示部であるＬＣＤＣ１１の画面に反映して表示したり、或いは入力部１２の情報を操作部Ｉ／Ｆ５を介してコントローラ９へ送信したりする他、ＲＯＭ１３への書込みも行う。
【００３４】
タイマ１７は、操作部コントローラ１０が各部を制御する際に利用するタイマ機能であり、例えば各部を同期させるためのタイミングをカウントする際に利用する場合を例示できる。
【００３５】
ＬＣＤＣ１１は、装置の状態や機能をユーザに表示する。入力部１２はタッチパネルやキー操作部等で構成され、ユーザによる機能選択や部数設定等に際してのタッチパネルやキー押下の情報を操作部コントローラ１０へ送出する。
【００３６】
照度センサ１５は、装置周囲の照度、即ち、設定場所である室内（オフィス）の照度を検知する。照度センサ１５の設置箇所については、例えばオフィスの照度を検知し易いように操作部２３の表面に設置する場合を例示できる。
【００３７】
照度判断回路１６は、照度センサ１５が検知したオフィスの検知照度とＲＯＭ１３に予め記憶された基準照度とを比較し、検知照度が基準照度を超過するか、或いは基準照度以下である場合の継続時間をタイマ１７によるカウント数に基づいてカウントし、カウント数がＲＯＭ１３に予め記憶された基準時間を超えた場合、商用電源制御部８に通知する。
【００３８】
その他、操作部２３において、操作部コントローラ１０、ＬＣＤＣ１１の一部、入力部１２、ＲＡＭ１４には５Ｖの電圧、ＬＣＤＣ１１の他部には２４Ｖの電圧、ＲＯＭ１３、照度センサ１５、照度判断回路１６、及びタイマ１７には電源電圧５ＶＥの電源供給が行われる。但し、ＲＯＭ１３、照度センサ１５、照度判断回路１６、及びタイマ１７は、商用電源の遮断時にバッテリより電力供給される。ここでも、バッテリについては商用電源の供給時に充電できる２次電池を用いる場合を例示できる。
【００３９】
電源回路２１は、リレー２２を介在して商用電源に接続されたＡＣ回路１８に直流（ＤＣ）を生成するためのＤＣ生成回路１９が接続され、更にＤＣ生成回路１９に電源起動回路２０が接続されて構成されている。
【００４０】
このうち、ＡＣ回路１８は、ＡＣ電源である商用電源を入力するための入力部として働く。リレー２２は商用電源制御部８からの出力ｂによってオン・オフが制御され、オン時にはＡＣ回路１８へ商用電源を供給させ、オフ時にはＡＣ回路１８への商用電源を遮断させる。ＤＣ生成回路１９は例えばＡ／Ｄ変換器等で構成され、ＡＣ回路１８から供給されるＡＣ電源を変換してＤＣ電源を生成する。
【００４１】
電源起動回路２０は、コントローラ９の省エネ制御部７からの出力ｃに応じてコントローラ９、操作部２３への電源供給を行うか、或いはその電源供給を遮断する。但し、ここではリレー２２がオンでＡＣ回路１８よりＡＣ電源が入力されている場合の条件下にあるＤＣ生成回路１９から供給されるＤＣ電源は、省エネ制御部７からの出力ｃで電源遮断されているときにもコントローラ９へ供給される。
【００４２】
このような構成の画像形成装置には、以下に説明するような幾つかに場合分けされる装置状態が存在する。
【００４３】
装置状態の第１の例は、動作状態と呼ばれる一般的に言われるコピー、プリント、スキャナ、ＦＡＸ等の動作を行っている状態である。この動作状態では、ＤＣ生成回路１９、電源起動回路２９からコントローラ９へ５Ｖの電圧、１２Ｖの電圧、電源電圧５ＶＥの電源供給が行われると共に、操作部２３に対する５Ｖの電圧、２４Ｖの電圧、電源電圧５ＶＥの電源供給は行われており、ＲＯＭ３、ＨＤＤ４への書込み動作が行われる。
【００４４】
装置状態の第２の例は、待機状態と呼ばれる動作状態に直ちに移行できる状態である。この待機状態では、ＤＣ生成回路１９、電源起動回路２０からコントローラ９へ５Ｖの電圧、１２Ｖの電圧、電源電圧５ＶＥの電源供給が行われると共に、操作部２３に対する５Ｖの電圧、２４Ｖの電圧、電源電圧５ＶＥの電源供給は行われており、ＲＯＭ３、ＨＤＤ４への書込み動作が行われる。
【００４５】
以上の動作状態及び待機状態は、装置状態の通常状態である。
【００４６】
装置状態の第３の例は、予熱／低電力状態と呼ばれる定着ヒータの温度を下げて保持し、動作状態になるまで定着ヒータが温まるのを待つ必要があって、動作状態に直ちに移行できる状態である。この予熱／低電力状態では、ＤＣ生成回路１９、電源起動回路２０からコントローラ９へ５Ｖの電圧、１２Ｖの電圧、電源電圧５ＶＥの電源供給が行われると共に、操作部２３に対する５Ｖの電圧、２４Ｖの電圧、電源電圧５ＶＥの電源供給は行われており、ＲＯＭ３、ＨＤＤ４への書込み動作が行われる。
【００４７】
装置状態の第４の例は、静音状態と呼ばれる定着ヒータへの電源供給を停止し、動作状態になるまで定着ヒータが温まるのを予熱／低電力状態より待つ必要がある状態である。この静音状態では、ＤＣ生成回路１９、電源起動回路２０からコントローラ９へ５Ｖの電圧、１２Ｖの電圧、電源電圧５ＶＥの電源供給が行われると共に、操作部２３に対する５Ｖの電圧、２４Ｖの電圧、電源電圧５ＶＥの電源供給は行われており、ＲＯＭ３、ＨＤＤ４への書込み動作が行われる。
【００４８】
以上の予熱／低電力状態、及び静音状態は、装置状態の不揮発性記憶手段への書込みが行われる省エネ状態である。
【００４９】
装置状態の第５の例は、エンジンオフ状態と呼ばれるエンジン、操作部への電力供給を停止した状態である。このエンジンオフ状態では、電源起動回路２０からコントローラ９へ５Ｖの電圧、１２Ｖの電圧の電源供給が行われるが、操作部２３に対する５Ｖの電圧、２４Ｖの電圧の電源供給は停止されており、且つＤＣ生成回路１９、電源起動回路２０からコントローラ９、操作部２３に対する電源電圧５ＶＥの電源供給は行われており、ＲＯＭ３、ＨＤＤ４への書込み動作は行われない。
【００５０】
装置状態の第６の例は、ＳＴＲ状態と呼ばれるＣＰＵ１への電源供給を停止して消費電力を低減させ、ＲＡＭ２には電力供給して起動時の情報を保持しておくことにより、起動(省エネ復帰)時間を短縮できる状態である。このＳＴＲ状態では、電源起動回路２０からコントローラ９へ５Ｖの電圧、１２Ｖの電圧の電源供給は行われるが、操作部２３に対する５Ｖの電圧、２４Ｖの電圧の電源供給は停止されており、且つＤＣ生成回路１９、電源起動回路２０からコントローラ９、操作部２３に対する電源電圧５ＶＥの電源供給は行われており、しかもＣＰＵ１への電力供給は省エネ制御部７により停止されており、ＲＯＭ３、ＨＤＤ４への書込み動作が行われない。
【００５１】
このＳＴＲ状態は、上述したサスペンド形態の一つであり、例えば現在の状態をメモリに保存したままＣＰＵ１やＨＤＤ４等、殆どのデバイスへの電源供給を停止することにより省エネを行う状態を示すものである。因みに、ＳＴＲ状態については、周知技術（例えば特開２００５‐２６９１０３号公報、特開２００５‐２７８１１０号公報、特開２００５‐３０３９７８号公報、特開２００６‐１２６９８７号公報、特開２００６‐１５５３９１号公報、特開２００６‐２５２４８２号公報等に関連する技術が開示されている）である。近年、画像形成装置における省電力化の要望により、ＳＴＲ状態を機能構成上で採用する機会が増加している。
【００５２】
装置状態の第７の例は、シャットダウン状態と呼ばれる装置への商用電源の供給が遮断されている状態である。このシャットダウン状態では、ＤＣ生成回路１９、電源起動回路２０からコントローラ９へ５Ｖの電圧、１２Ｖの電圧、電源電圧５ＶＥ、操作部２３に対する５Ｖの電圧、電圧２４Ｖ、電源電圧５ＶＥの電源供給は停止される。また、商用電源制御部８、ＲＯＭ１３、照度センサ１５、照度判断回路１６、及びタイマ１７は、バッテリより電力供給されており、ＲＯＭ３、ＨＤＤ４への書込み動作は行われない。
【００５３】
尚、シャットダウン状態は、画像形成装置のメインスイッチがオンで商用電源の供給が遮断されている状態であり、メインスイッチのオフにより商用電源の供給が遮断されている状態とは区別される。メインスイッチはユーザ（使用者）の操作によりオン・オフされるものである。
【００５４】
以上のエンジンオフ状態、ＳＴＲ状態、及びシャットダウン状態は、装置状態の不揮発性記憶手段への書込みが行われない省エネ状態である。
【００５５】
図２は、上述した画像形成装置の各部の処理機能で構築される商用電源遮断制御機能部の概略構成を示すブロック図である。
【００５６】
この商用電源遮断制御機能部は、装置周りの照度を検知する照度検知手段１００と、照度検知手段１００で検知された検知照度と予め設定された基準照度とを比較して検知照度が基準照度以上であるか否かを判断すると共に、検知照度が基準照度に対して予め設定された基準時間継続したときに判断処理を行う照度判断手段１０１と、装置状態が通常状態、省エネ状態における何れにあるかを判断する状態判断手段１０２と、不揮発性記憶手段（不揮発性メモリ）への書込みを禁止する書込み禁止手段１０３と、照度判断手段１０１により検知照度が基準照度未満であると判断されたときに状態判断手段１０２により判断された装置状態に応じて通常状態及び不揮発性記憶手段への書込みが行われる省エネ状態であれば書込み禁止手段１０３により不揮発性記憶手段への書込みを禁止してから商用電源を遮断する制御、不揮発性記憶手段への書込みが行われない省エネ状態にあれば商用電源を直ちに遮断する制御を選択的に実行する商用電源制御手段１０４と、を備えている。
【００５７】
また、商用電源遮断制御機能部は、その他、商用電源制御手段１０４により商用電源が遮断された状態で照度検知手段１００、照度判断手段１０１、及び商用電源制御手段１０４に対して電力供給する商用電源遮断時電力供給手段１０５と、省エネ状態から通常状態に復帰する復帰要因を検出する復帰要因検出手段１０６と、照度判断手段１０１における基準照度を任意の値に適宜変更するための基準照度変更手段１０７と、照度判断手段１０１における基準時間を任意の値に適宜変更するための基準時間変更手段１０８と、を備えている。
【００５８】
但し、ここでの商用電源制御手段１０４は、商用電源が遮断された状態で照度判断手段１０１により検知照度が基準照度以上であると判断されたときに装置に対する商用電源の供給を開始し、照度判断手段１０１により検知照度が基準照度未満であると判断されたときに復帰要因検出手段１０６により復帰要因が検出されていれば書込み禁止手段１０３による不揮発性記憶手段（不揮発性メモリ）への書込みの禁止、並びに商用電源の遮断を解除する制御を行う。
【００５９】
各部の動作を簡単に説明すれば、照度検知手段１００では、オフィスの装置周りの照度を検知する。照度検知手段１００は図１に示した装置構成の操作部２３に備えられる照度センサ１５に該当する。検知された検知照度は照度判断手段１０１に入力される。
【００６０】
照度判断手段１０１は検知照度を予め記憶された基準照度と比較し、検知照度が基準照度以上であるか否かを判断する。また、検知照度が基準照度以上である時間、或いは基準照度未満である時間が予め記憶された基準時間継続したか否かを判断する。検知照度が基準照度以上である時間、或いは基準照度未満である時間が基準時間よりも継続したと判断されると、その旨を商用電源制御手段１０４へ通知する。
【００６１】
照度判断手段１０１は、図１に示した装置構成の操作部２３に備えられる照度判断回路１６、タイマ１７、及びＲＯＭ１３から構成されるものである。基準照度と基準時間とはＲＯＭ１３に予め記憶され、照度判断回路１６が照度検知手段１００の出力（検知照度）と基準照度とを比較し、タイマ１７のカウント数に基づいて基準時間継続したか否かを照度判断回路１６により判断する。
【００６２】
基準照度変更手段１０７、基準時間変更手段１０８は、それぞれ基準照度、基準時間をユーザやサービスマンによって変更できるようにするためのものある。ユーザやサービスマンにより操作部２３の表示部であるＬＣＤＣ１１に変更時の選択画面を表示してから入力部１２により入力を行い、操作部コントローラ１０でその入力値をＲＯＭ１３に記憶する。尚、基準照度を自動設定する手段は、図１の装置構成では記載していないが、照度センサ１５の出力を操作部コントローラ１０に入力し、その値をＲＯＭ１３に記憶させる処理機能で容易に構築されるものである。
【００６３】
照度判断手段１０１において、照度検知手段１００の出力（検知照度）が基準照度に対して基準時間以上、それ以上の状態であるか、或いはそれ未満の状態であると判断されたとき、商用電源制御手段１０４は、状態判断手段１０２により装置がシャットダウン状態、動作状態、待機状態、予熱／低電力状態、静音状態、エンジンオフ状態、ＳＴＲ状態の何れであるかの状態情報を取得する。
【００６４】
状態判断手段１０２は、動作状態、待機状態、予熱／低電力状態、静音状態、エンジンオフ状態である場合についてはＣＰＵ１に電力供給されているので、ＲＡＭ２に記憶されたソフトのステータス情報を取得したり、或いは省エネ制御部７に省エネ状態を表わすレジスタがある場合等についてはそのレジスタを読み込む。シャットダウン状態では、バッテリにより電源供給されている商用電源制御部８により電源電圧５ＶＥの電源供給が停止されているか否かを電源電圧５ＶＥの電圧状態に基づいて監視するか、或いはリレー２２をオフする信号を出力しているか否かを信号ｂの状態に基づいて判断する。ＳＴＲ状態ではＣＰＵ１への電源供給は停止されており、ＲＡＭ２や省エネ制御部７へのレジスタリードができないため、商用電源制御部８によりＣＰＵ１の電源供給が停止しているか否かを電圧に基づいて監視し、且つ電源電圧５ＶＥが電源供給されているか否かを電源電圧５ＶＥの電圧状態に基づいて監視することで判断する。電源電圧５ＶＥの電圧を監視するのは、シャットダウン状態でもＣＰＵ１の電源供給は停止されるのでシャットダウン状態と区別するためである。
【００６５】
照度判断手段１０１において、照度検知手段１００の出力（検知照度）が基準照度に対して基準時間以上、それ未満であると判断され、且つ状態判断手段１０２によりシャットダウン状態と判断されたとき、既に商用電源は遮断されているので商用電源制御手段１０４は処理を終了する。尚、シャットダウン状態時には商用電源遮断時電力供給手段１０５により照度検知手段１００、照度判断手段１０１、商用電源制御手段１０４、状態判断手段１０２に電力が供給されているため、これらは図２中の点線で示すような商用電源遮断時被電力供給部１０９とみなすことができる。
【００６６】
照度判断手段１０１において、照度検知手段１００の出力（検知照度）が基準照度に対して基準時間以上、それ未満であると判断され、且つ商用電源制御手段１０４により復帰要因検出手段１０６を介してシャットダウン状態以外と判断されたとき、復帰要因検出手段１０６により省エネ復帰要因が発生していないか判断する。プリントジョブ、圧版開閉、原稿設置、ウィークリータイマ、省エネ復帰スイッチ押下等の復帰要因は省エネ制御部７のレジスタに格納されており、これを読み込んで復帰要因があると判断された場合にはユーザが使用する可能性があるため、商用電源制御手段１０４は処理を終了する。
【００６７】
動作状態、待機状態、予熱／低電力状態、静音状態、エンジンオフ状態については、ＣＰＵ１に電力供給されているので省エネ制御部７のレジスタリードが可能であるが、ＳＴＲ状態は省エネ制御部７に復帰要因の有無状態を識別し得る信号を１本用意し、これを商用電源制御部８に入力させれば復帰要因の有無が分かる。
【００６８】
照度判断手段１０１において、照度検知手段１００の出力（検知照度）が基準照度に対して基準時間以上、それ未満であると判断され、且つ商用電源制御手段１０４により復帰要因検出手段１０６を介してシャットダウン状態以外と判断されると共に、復帰要因がないと判断されたとき、ＳＴＲ状態或いはエンジンオフ状態と判断された場合には、商用電源制御手段１０４は商用電源を遮断するためにリレー２２をオフにする。これは不揮発性メモリであるＲＯＭ３、ＨＤＤ４への書込みがないためである。
【００６９】
照度判断手段１０１において、照度検知手段１００の出力（検知照度）が基準照度を基準時間以上、それ未満であると判断され、且つ商用電源制御手段１０４により復帰要因検出手段１０６を介してシャットダウン状態以外と判断されると共に、復帰要因がないと判断されたとき、動作状態と判断された場合には、ユーザが使用中なので商用電源制御手段１０４は処理を終了する。
【００７０】
照度判断手段１０１において、照度検知手段１００の出力（検知照度）が基準照度に対して基準時間以上、それ未満であると判断され、且つ商用電源制御手段１０４により復帰要因検出手段１０６を介してシャットダウン状態以外と判断されると共に、復帰要因がないと判断されたとき、待機状態、予熱／低電力状態、静音状態と判断された場合には、書込み禁止手段１０３により不揮発性メモリであるＲＯＭ３、ＨＤＤ４への書込みを禁止する処理を行い、書込み禁止が完了したら商用電源を遮断するためにリレー２２をオフにする。
【００７１】
待機状態、予熱／低電力状態、静音状態では不揮発性メモリであるＲＯＭ３、ＨＤＤ４への書込みの可能性があることにより書込み禁止せずに商用電源を遮断すると、書込み中の電源遮断によるデータ破壊の可能性があるため、これを防止する。
【００７２】
照度判断手段１０１において、照度検知手段１００の出力（検知照度）が基準照度に対して基準時間以上、それ以上であると判断され、且つ状態判断手段１０２がシャットダウン状態以外であると判断したとき、商用電源が供給されているので商用電源制御手段１０４は処理を終了する。
【００７３】
照度判断手段１０１において、照度検知手段１００の出力（検知照度）が基準照度に対して基準時間以上、それ以上であると判断され、且つ状態判断手段１０２がシャットダウン状態と判断したとき、商用電源制御手段１０４は商用電源の供給を開始するためにリレー２２をオンにする。
【００７４】
図３は、上述した商用電源遮断制御機能部の動作処理を示すフローチャートである。但し、ここでは図２に示した各機能処理手段に対応する図１に示す装置構成の細部に沿って説明する。
【００７５】
商用電源遮断制御機能部の動作処理では、まず照度判断回路１６において、照度センサ１５の出力（検知照度）が基準照度以上であるか否かの判断（ステップＳ１）を行う。この結果、基準照度以上であればその照度センサ１５の出力（検知照度）が基準照度以上の時間が基準時間以上であるか否かを判断（ステップＳ１１）するが、基準照度以上でなければ（基準照度未満であれば）、基準照度未満の時間が基準時間以上であるか否かを判断（ステップＳ２）する。
【００７６】
照度センサ１５の出力（検知照度）が基準照度未満である時間が基準時間以上でなければ（基準時間未満であれば）、最初の処理（ステップＳ１）の前に戻って待機するが、照度センサ１５の出力（検知照度）が基準照度未満である時間が基準時間以上であれば、商用電源制御手段８により商用電源遮断状態であるか否かを判断（ステップＳ３）する。この結果、商用電源遮断状態であれば商用電源制御手段８でリレー２２がオフであることを認知し、既に商用電源の供給は遮断されているので動作処理を終了するが、商用電源遮断状態でなく、リレー２２がオンであるならば復帰要因有りか否かの判断(ステップＳ４)へ移行する。
【００７７】
ここでは省エネ制御部７のレジスタリードや商用電源制御部８への復帰要因の有無を表す信号に基づいて、復帰要因が有ればユーザが使用する可能性があるため、動作処理を終了するが、復帰要因がなければＳＴＲ状態であるか否かの判断、即ち、ＣＰＵ１への電源供給が行われているか否かの判断（ステップＳ５）を行う。この結果、ＣＰＵ１の電源監視よりＣＰＵ１への電源供給が行われていなければＳＴＲ状態にあると判断し、リレー２２をオフして商用電源を遮断（ステップＳ１０）する処理へジャンプしてから動作処理を終了するが、ＣＰＵ１への電源供給が行われていれば動作状態、待機状態、予熱／低電力状態、静音状態、エンジンオフ状態の何れかにあると判断できるため、ＲＡＭ２に記憶されたソフトのステータス情報を取得したり、或いは省エネ制御部７に省エネ状態を表すレジスタがあればそのレジスタを読み込むことにより、画像形成装置の状態を取得（ステップＳ６）する処理を行った後、動作状態であるか否かを判断（ステップＳ７）する。
【００７８】
この結果、動作状態であればユーザが使用中なので動作処理を終了するが、動作状態でなければ不揮発性メモリであるＲＯＭ３、ＨＤＤ４への書込みが発生する可能性がある状態であるか否かの判断（ステップＳ８）を行う。この結果、書込みが発生する可能性がない状態であれば（エンジンオフ状態であれば）、リレー２２をオフして商用電源を遮断（ステップＳ１０）する処理へジャンプしてから動作処理を終了するが、書込みが発生する可能性がある状態であれば（待機状態、予熱／低電力状態、静音状態であれば）、不揮発性メモリであるＲＯＭ３、ＨＤＤ４への書込みが行われる可能性があるので、不揮発性メモリであるＲＯＭ３、ＨＤＤ４への書込みを禁止（ステップＳ９）する処理を行った後、リレー２２をオフして商用電源を遮断（ステップＳ１０）する処理を経てから動作処理を終了する。
【００７９】
ところで、先の照度センサ１５の出力（検知照度）が基準照度以上であるか否かの判断（ステップＳ１）により、照度センサ１５の出力（検知照度）が基準照度以上であって、照度センサ１５の出力（検知照度）が基準照度以上の時間が基準時間以上であるか否かを判断（ステップＳ１１）した結果、基準時間以上でなければ（基準時間未満であれば）、最初の処理（ステップＳ１）の前に戻って待機するが、基準時間以上であれば商用電源制御手段８により商用電源遮断状態であるか否かを判断（ステップＳ１２）する。この結果、商用電源遮断状態であれば商用電源制御手段８でリレー２２がオンであることを認知し、既に商用電源の供給が行われているので動作処理を終了するが、商用電源遮断状態でなく、リレー２２がオフであるならばリレー２２をオンして商用電源を供給(ステップＳ１３)する処理を開始した後、動作処理を終了する。
【００８０】
図４は、画像形成装置の商用電源遮断制御に係る照度センサの照度検知値と装置電力値との信号波形を示すタイミングチャートである。但し、図４中において、横軸は時間を表しており、この横軸の時間に対する縦軸の１つは照度センサ１５による照度検知値を表しており、レベルが上に向かう程照度が明るく、下に向かう程照度が暗くなるもので、縦軸のもう１つは画像形成装置の装置電力値を表しており、レベルが上に向かう程電力が高く、下に向かう程電力が低くなるものである。
【００８１】
ここでは、まず画像形成装置の装置状態が待機／省エネ状態（待機状態、予熱／低電力状態、静音状態の何れか）の場合、照度検知値（検知照度）が基準照度より低くなり、基準時間継続すると、不揮発性メモリへの書込み禁止処理を完了させてからリレー２２をオフにして商用電源を遮断することを示している。商用電源を遮断してもコンデンサ等に電荷が貯まっているため、装置電力値は緩やかに下がり、最終的に消費電力０Ｗとなる。
【００８２】
次に、商用電源の遮断中、照度検知値（検知照度）が基準照度より高くなり、基準時間継続すると、リレー２２をオンにして商用電源の供給を開始する。これに伴い、画像形成装置は起動して待機状態になり、省エネ移行スイッチの押下、タイマ設定等で省エネ移行する。ここでの省エネ移行は、図４中の省エネ状態（エンジンオフ状態、ＳＴＲ状態の何れか）として示される。
【００８３】
この省エネ状態で照度検知値（検知照度）が基準照度より低くなり、基準時間継続すると、不揮発性メモリへの書込み禁止処理は行わず、直ちにリレー２２をオフにして商用電源を遮断する。
【００８４】
更に、商用電源の遮断中、照度検知値（検知照度）が基準照度より高くなり、基準時間継続すると、リレー２２をオンにして商用電源の供給を開始する。尚、動作状態では商用電源を遮断する処理は行わない。
【００８５】
図５は、上述した操作部２３の商用電源遮断制御に係る基準照度、基準時間の設定について説明するために例示した表示画面である。具体的には、操作部２３のＬＣＤＣ１１に表示される画像を拡大して示したものである。
【００８６】
ここでは、操作部２３において、ユーザ／サービスマンにより電源遮断設定が選択された後の段階を説明している。ユーザ／サービスマンにより電源遮断設定が選択された場合には画面２００が表示されるので、操作上における電源遮断設定を実施するか否かの設定、基準照度の設定、基準時間の設定を説明する。
【００８７】
まず、画面２００上の一番上は照度センサ１５による電源遮断を行うか否かの設定でＯＮボタン２０１を押下すれば照度センサ１５による電源遮断を行なう設定となり、ＯＦＦボタン２０２を押下すれば照度センサ１５による電源遮断を行わない設定となる。尚、画面２００上の『電源遮断設定:ＯＮ』のＯＮは現状でＯＮであることを意味し、ＯＦＦである場合には『電源遮断設定:ＯＦＦ』として表示される。
【００８８】
次に、照度センサ１５についての基準照度の設定を行うとき、『照度センサ設定：自動設定』における自動設定ボタン２０３を押下すると画面２０７が表示され、オフィスの明かりを点灯するようユーザに知らせ、設定ボタン２０８を押下することにより、通常ユーザが使用する状態での照度を照度センサ１５により検知し、その結果の検知照度を不揮発性メモリに記憶する機能が設定される。設定ボタン２０８を押下すると画面２０９に推移し、オフィスの明かりを消灯するようユーザに知らせ、設定ボタン２１０を押下することにより、通常ユーザが使用しない状態での照度を照度センサ１５により検知し、その結果の検知照度を不揮発性メモリに記憶する機能が設定される。基準照度には例えばオフィスの明かりの点灯時と消灯時とにおける照度の中間値を設定する。オフィスの明かりの点灯時や消灯時の照度を基準照度にしてしまうとオフィスの明かりの点灯時や消灯時の照度のバラツキに対応できないので、上述した中間値が好ましい。
【００８９】
そこで、マニュアル設定ボタン２０４を押下すると画面２１１が表示され、照度センサ１５のマニュアル設定が可能となる。ここでの矢印２１２は現状設定されている基準照度の設定値を表し、マイナスボタン２１３の押下により暗い照度に設定することができると共に、プラスボタン２１４の押下により明るい照度に設定することができる。マイナスボタン２１３、プラスボタン２１４は何れも押下する程、暗くなる程度が増したり、明るくなる程度が増す設定になる。
【００９０】
次に、照度センサ１５の出力（検知照度）の継続時間と比較する基準時間を設定する場合を説明する。これは電源遮断までの時間設定について、検知照度が基準照度よりも低い時間がどの位続けば商用電源を遮断するかの設定であり、商用電源遮断時の基準時間を設定するものである。
【００９１】
この場合、画面２００上で『電源遮断までの設定時間：』についての設定ボタン２０５をタッチパネルで設定し、入力部１２の機能としてタッチパネル／キー操作で数値を入力する。
【００９２】
電源起動までの時間設定については、検知照度が基準照度より高い時間がどの位続けば商用電源の供給を開始するかの設定であり、商用電源供給開始時の基準時間を設定するものである。
【００９３】
この場合、画面２００上で『電源起動までの設定時間：』についての設定ボタン２０６をタッチパネルで設定し、入力部１２の機能としてタッチパネル／キー操作で数値を入力する。
【００９４】
以上の実施例１に係る画像形成装置では、照度センサ１５の検知照度が所定の閾値（基準照度）未満のときに商用電源を切る場合、様々な装置状態を考慮し、装置状態が通常状態及び不揮発性記憶手段への書込みが行われる省エネ状態であれば商用電源を遮断する前に不揮発性メモリへの書込みを禁止してから商用電源を遮断し、不揮発性記憶手段への書込みが行われれない省エネ状態であれば商用電源を直ちに遮断するので、商用電源を切る場合に無駄な処理を行わず、装置における様々な機能処理状態に応じて内部デバイスに対して支障なく安全性高く実行できる対応性に富んだものとなる。また、バッテリ電源を使用することにより照度センサ１５の検知照度が所定の閾値以上になったら商用電源を供給することにより、ユーザの使い勝手を向上することもできる。更に、プリントジョブ、圧版開閉、原稿設置、ウィークリータイマ、省エネ復帰スイッチ押下等の復帰要因がある場合には商用電源を切らないようにする機能を持たせているため、ユーザの使い勝手を向上することもできる。加えて、照度センサの検知照度値を比較するための基準照度（閾値）を任意に設定できるようにしているため、例えば薄暗い使用環境下でも、ユーザが使用中であるのに商用電源が切れたり、或いは休日に蛍光灯が消えているのにも拘わらず昼間の薄明かりで商用電源が供給されてしまう等の誤動作を防止し、ユーザの使用環境に合わせてユーザの使い勝手を向上させ、省電力化に寄与できる。
【００９５】
その他、照度センサ１５の出力（検知照度）が基準照度に対してそれ以上の状態であるか、或いはそれ未満の状態であるかを判断するときの基準時間を一定時間以上の場合に商用電源を供給したり、或いは遮断する動作を行わせる機能を持たせているため、ノイズ、人、原稿書類の影等による誤検知防止も図られ、しかもその基準時間についても任意に設定できるため、ユーザの使用環境に合わせてユーザの使い勝手を向上させて十分な省電力化に寄与できる。
【００９６】
ところで、以上の実施例１で説明した画像形成装置の技術的概要は、画像形成装置に設置された装置周囲の照度を検出するための照度センサによる検知結果に基づいて画像形成装置に対する商用電源を切って消費電力を低減化する際の画像形成装置における商用電源遮断方法として換言することができ、具体的には照度センサによる検知結果を示す照度が所定の閾値を下回ったとき、装置状態を検出した結果に基づいて、装置状態が通常状態及び不揮発性記憶手段への書込みが行われる省エネ状態では、商用電源を遮断する前に内部デバイスに含まれる不揮発性記憶手段への書込みを禁止してから商用電源を遮断し、不揮発性記憶手段への書込みが行われない省エネ状態では、商用電源を直ちに遮断するものである。
【００９７】
同様に、画像形成装置が備える情報処理手段により実行されると共に、画像形成装置に設置された装置周囲の照度を検出するための照度センサによる検知結果に基づいて画像形成装置に対する商用電源を切って消費電力を低減化する際に適用される画像形成装置用商用電源遮断プログラムとして構築することもできる。この画像形成装置用商用電源遮断プログラムは、照度センサによる検知結果を示す照度が所定の閾値を下回ったとき、装置状態を検出した結果に基づいて、装置状態が通常状態及び不揮発性記憶手段への書込みが行われる省エネ状態では、商用電源を遮断する前に内部デバイスに含まれる不揮発性記憶手段への書込みを禁止してから商用電源を遮断し、不揮発性記憶手段への書込みが行われない省エネ状態では、商用電源を直ちに遮断するステップの情報を有するものである。
【符号の説明】
【００９８】
１  ＣＰＵ
２、１４  ＲＡＭ
３、１３  ＲＯＭ
４  ＨＤＤ
５  操作Ｉ／Ｆ
６、１７  タイマ
７  省エネ制御部
８  商用電源制御部
９  コントローラ
１０  操作部コントローラ
１１  ＬＣＤＣ
１２  入力部
１５  照度センサ
１６  照度判断回路
１８  ＡＣ回路
１９  ＤＣ生成回路
２０  電源起動回路
２１  電源回路
２２  リレー
２３  操作部
１００  照度検知手段
１０１  照度判断手段
１０２  状態判断手段
１０３  書込み禁止手段
１０４  商用電源制御手段
１０５  商用電源遮断時電力供給手段
１０６  復帰要因検出手段
１０７  基準照度変更手段
１０８  基準時間変更手段
１０９  商用電源遮断時被電力供給部
【先行技術文献】
【特許文献】
【００９９】
【特許文献１】特開平６-１４８９７２号公報
【特許文献２】特開２００６−１８４３４６号公報
【図１】
0005418337.tif 000002
【図２】
0005418337.tif 000003
【図３】
0005418337.tif 000004
【図４】
0005418337.tif 000005
【図５】
0005418337.tif 000006